(57)【要約】  【課題】履き口におけるふくらはぎ側の端部の位置が下にずれない靴下を提供する。  【解決手段】本発明にかかる靴下は、閉塞されたつま先部から開口された履き口の間を、すね側の前部分とふくらはぎ側の後ろ部分とからなる筒状編地で形成された靴下であって、後ろ部分の編地組織を前部分の編地組織と異ならせることにより、着用したときに、後ろ部分の履き口端部の位置が、前部分の履き口端部とほぼ等しい高さか、前部分の履き口よりも高い位置に配置されるようにし、ふくらはぎの膨らみ部分をカバーできるようにしたことを特徴とするものである。  【選択図】図１
2006028693.tif 000002
【特許請求の範囲】
【請求項１】
閉塞されたつま先部から開口された履き口の間を、すね側の前部分とふくらはぎ側の後ろ部分とからなる筒状編地で形成された靴下であって、後ろ部分の編地組織を前部分の編地組織と異ならせることにより、着用したときに、後ろ部分の履き口端部の位置が、前部分の履き口端部とほぼ等しい高さか、前部分の履き口よりも高い位置に配置されるようにし、ふくらはぎの膨らみ部分をカバーできるようにしたことを特徴とする靴下。
【請求項２】
前部分をメッシュ編とし、後ろ部分をプレーン編としたことを特徴とする請求項１記載の靴下。
【請求項３】
前部分の編地のループ長よりも後ろ部分の編地のループ長を長くしたことを特徴とする請求項１または請求項２記載の靴下。
【請求項４】
前部分の編地の編成コース数よりも後ろ部分の編地の編成コース数を多くしたことを特徴とする請求項１から請求項３のいずれかに記載の靴下。
【発明の詳細な説明】
【技術分野】
【０００１】
本発明は、靴下に関するもので、具体的には、つま先から膝下までをカバーするハイソックスに関するものである。
【背景技術】
【０００２】
従来、この種の靴下としては、つま先部からかかと部分を経て履き口までを筒状に形成し、かかと部分から開口された履き口の間を丸編機の周回編成による筒状編地で形成されたものが開示されている(例えば、特許文献１参照)。
【特許文献１】特開平１０−１６８６０５号公報
【発明の開示】
【発明が解決しようとする課題】
【０００３】
しかしながら、上記公報の靴下は、かかと部分から履き口までが丸編機の周回編成で筒状に形成されていることから、ふくらはぎ部の膨らみを覆いきれず、ふくらはぎ側の履き口端部の位置が下がってしまう。そのため、靴下におけるふくらはぎ側の張力が高くなり、履き心地が悪いだけでなく、膝下の脚の長さが実際よりも短く見えるなど、外観にも問題がある。
【課題を解決するための手段】
【０００４】
本発明は、上記問題点に鑑みて提案されたものであって、
閉塞されたつま先部から開口された履き口の間を、すね側の前部分とふくらはぎ側の後ろ部分とからなる筒状編地で形成された靴下であって、後ろ部分の編地組織を前部分の編地組織と異ならせることにより、着用したときに、後ろ部分の履き口端部の位置が、前部分の履き口端部とほぼ等しい高さか、前部分の履き口よりも高い位置に配置されるようにし、ふくらはぎの膨らみ部分をカバーできるようにしたことを特徴とするものである。
【０００５】
なお、前部分をメッシュ編とし、後ろ部分をプレーン編としてもよい。
【０００６】
また、前部分の編地のループ長よりも後ろ部分の編地のループ長を長くしてもよい。
【０００７】
さらに、前部分の編地の編成コース数よりも後ろ部分の編地の編成コース数を多くしてもよい。
【発明の効果】
【０００８】
本発明にかかる靴下によれば、閉塞されたつま先部から開口された履き口の間を、すね側の前部分とふくらはぎ側の後ろ部分とからなる筒状編地で形成された靴下であって、後ろ部分の編地組織を前部分の編地組織と異ならせることにより、着用したときに、後ろ部分の履き口端部の位置が、前部分の履き口端部とほぼ等しい高さか、前部分の履き口よりも高い位置に配置されるようにし、後ろ部分の張力を高めることなく、ふくらはぎの膨らみ部分をカバーできるようにしたので、
着用したときに、後ろ部分の履き口端部の位置が前部分の履き口端部よりも下がらず、均等な締め付け力が得られるので履き心地がよいし、膝下の脚の長さを実際の長さ以上に見せる視覚的効果が得られるので外観を向上できるという利点もある。
【０００９】
また、前部分の編地をメッシュ編とし、後ろ部分の編地をプレーン編としたものでは、前部分に比べて後ろ部分の伸縮性が高くなるので、ふくらはぎ部の膨らみ部分を十分カバーできる。また、前部分と後ろ部分の編地の外観が異なるので、ファッションデザインとしても効果的である。
【００１０】
また、前部分の編地のループ長よりも後ろ部分の編地のループ長を長くしたものでは、前部分よりも後ろ部分の長さの方が長くなるので、ふくらはぎ部の膨らみ部分を十分カバーできる。
【００１１】
また、前側の編地の編成コース数よりも後側の編地の編成コース数を多くしたものでは、前記ループ長を変えたものと同様に、前部分よりも後ろ部分の長さの方が長くなるので、ふくらはぎ部の膨らみ部分を十分カバーできる。
【発明を実施するための最良の形態】
【００１２】
以下、本発明にかかる靴下の一実施形態について詳細に説明する。
【００１３】
本実施形態の靴下１は、ナイロン繊維で編成されたストッキング状のハイソックスであって、図１に示すように、筒状に編成された筒状編地の一端側を閉塞してなるつま先部２と、筒状編地の他端側に開口している履き口３と、閉塞されたつま先部２から開口された履き口３の間に形成される靴下本体部４とを備えている。
【００１４】
靴下本体部は、筒状編地で形成されており、つま先から膝下までを被覆可能な長さと径を有している。
【００１５】
そして、すね側の前部分４１がメッシュ編で編成され、ふくらはぎ側の後ろ部分４２がプレーン編で編成されている。また、履き口３には、ゴム編で編成された口ゴム部５が設けられている。
【００１６】
なお、プレーン編で編成される後ろ部分４２の伸び率は、メッシュ編で編成される前部分４１の伸び率の約２割増となっている。
【００１７】
靴下１を編成する手順としては、まず、丸編機のシリンダ若しくはシリンダ上端部を摺動するキャリッジを回転させ、ヤーンフィーダで給糸して、所定コースだけメッシュ編で編成する。次に、シリンダ若しくはキャリッジを半回転させるごとに、メッシュ編とプレーン編とを繰り返して、すね側の前部分４１がメッシュ編で、ふくらはぎ側の後ろ部分４２がプレーン編の靴下本体部４を編成する。その後、再度シリンダ若しくはキャリッジを回転させ、弾性糸が挿入されたリブ編の履き口３部分を編成し、その端部を靴下本体部４の内方に折り返して縫着し、口ゴム部５を形成する。つま先側の開口部(図示せず)は、リンキング若しくはオーバーロック等の縫製手段により閉塞し、つま先部２を形成する。最後に、靴下１をヒートセットして全体の形状を整える。
【００１８】
靴下１の着用手順としては、まず、靴下１の前部分４１をすね側、後ろ部分４２をふくらはぎ側に向けて、履き口３から足を挿入し、つま先部２につま先を配置する。靴下本体部４を引き上げて、口ゴム部５を膝下に配置する。このとき、ふくらはぎの膨らみ部分をカバーできるように、靴下本体部４の後ろ部分４２をしっかり引き上げて、図２（ａ）（ｂ）に示すように、口ゴム部５の後端部５２を口ゴム部５の前端部５１に比べて膝の裏側の高い位置に配置させる。
【００１９】
以上のように、本実施形態の靴下１は、前部分４１をメッシュ編で編成し、後ろ部分４２をメッシュ編の約２割増の伸び率を有するプレーン編で編成することにより、着用したときに、口ゴム部５の後端部５２の位置が、口ゴム部５の前端部５１よりも高い位置に配置されるようにし、ふくらはぎの膨らみ部分をカバーできるようにしたので、
口ゴム５の後端部５２の位置が、口ゴム部５の前端部５１よりも下がらず、均等な締め付け力が得られるので履き心地がよいし、膝下の脚の長さを実際の長さ以上に見せる視覚的効果が得られるので外観を向上できるという利点もある。
【００２０】
また、前部分４１の編地と後ろ部分４２の編地の外観が異なるので、ファッションデザインとしても効果的であるし、靴下１の前後を容易に見分けることもできる。
【００２１】
なお、前部分４１の編地組織と後ろ部分４２の編地組織と異ならせる方法としては、上記実施の形態に限定されるものでない。例えば、編み針の引き込み量を多くして、前部分４１の編地のループ長よりも後ろ部分４２の編地のループ長を長くしてもよい。なお、前部分４１の編地のループ長と後ろ部分４２の編地のループ長との最大寸法差は、約０．４ｍｍ程度であることが好ましい。
【００２２】
また、別の方法として、後ろ部分４２の編地を引き返し編みして、前部分４１の編地のコース数よりも後ろ部分４２の編地のコース数を多くしてもよい。
【００２３】
さらに、別の方法として、前部分４１の編地を編成する編み糸を伸縮性の少ない繊維とし、後ろ部分４２の編地を編成する編み糸に、例えばポリウレタン繊維などの弾性を有する繊維を添え糸と挿入し、前部分４１よりも後ろ部分４２の伸び率を大きくするようにしてもよい。
【００２４】
なお、上記の各方法を自由に組み合わせてもよく、例えば、前部分４１をメッシュ編で編成し、後ろ部分４２をプレーン編で編成するとともに、後ろ部分４２の編地のループ長を前部分４１の編地のループ長よりも長くしてもよい。また、前部分４１と後ろ部分４２とをともにプレーン編で編成するとともに、後ろ部分４２のループ長とコース数を大きくしてもよい。
【００２５】
ところで、本実施形態の靴下１は、ナイロン繊維で編成されたストッキング状のハイソックスであるが、繊維の種類や厚さはこれに限られず、例えば、綿繊維などで編成されていてもよいし、スクール用の厚手の靴下であってもよい。
【図面の簡単な説明】
【００２６】
【図１】本発明にかかる一実施形態の靴下１の外観図である。
【図２】（ａ）図１の靴下１の使用状態を示す説明図である。（ｂ）図１の靴下１の使用状態を示す説明図である。
【符号の説明】
【００２７】
１    靴下
２    つま先部
３    履き口
４１  前部分(すね側の前部分)
４２  後ろ部分（ふくらはぎ側の前部分）
５１  前端部（前部分の履き口端部）
５２  後端部（後ろ部分の履き口端部）
【図１】
2006028693.tif 000003
【図２】
2006028693.tif 000004